(57)【特許請求の範囲】
【請求項１】
縦長状の吸収性本体、及び該吸収性本体の長手方向左右両側に設けられた左右一対のウイング部を具備する吸収性物品において、
上記ウイング部は、少なくとも２枚のシート材を積層して形成されており、
上記の２枚のシート材は、上記吸収性本体の両側縁に沿って上記ウイング部に形成された所定幅の非塗布部を残して、接着剤を介して接着されており、
上記の２枚のシート材は、防漏シート及び該防漏シート上に配された吸収性シートであり、更に、該吸収性シートの表面側を覆って液透過性シートが配されており、
上記非塗布部を可撓軸として上記ウイング部を上記吸収性物品の肌当接面側又は非肌当接面側に折り曲げた状態で包装体とされている吸収性物品。
【請求項２】
上記ウイング部は、上記吸収性本体の前方側における長手方向左右両側に設けられた左右一対の前方ウイング部、及び吸収性本体の後方側における長手方向左右両側に設けられた左右一対の後方ウイング部とからなる請求項１記載の吸収性物品。
【請求項３】
本体吸収体並びに該本体吸収体の表面及び側面を覆って配された液透過性の表面シートからなる、縦長状の上層部と、液不透過性の防漏シート、該防漏シートと略同形状の液透過性シート、及び両シート間に介在された吸収性シートとからなり、前方側及び後方側がそれぞれ幅広になされた下層部からなり、
上記上層部は、該上層部の長手方向側縁から幅広になされた該下層部の長手方向側部が延出されるように、該下層部の上記液透過性シート上に載置されており、
延出された下層部により上記前方ウイング部及び上記後方ウイング部が形成されている請求項２記載の吸収性物品。
【発明の詳細な説明】
【０００１】
【発明の属する技術分野】
本発明は、漏れ防止性及び操作性に優れた吸収性物品に関する。
【０００２】
【従来の技術及び発明が解決しようとする課題】
吸収性物品として、漏れ防止性向上のために左右一対のウイング部が設けられたものは、種々提案されている。
【０００３】
しかし、従来のウイング部を有する吸収性物品は、ウイング部を肌当接面側または非肌当接面側に折り曲げた状態で包装材により包装して販売されるが、ウイング部を折り曲げるのが容易でなく、また、包装体から取り出した際に、折り癖が付いているため、操作性が悪い。
【０００４】
従って、本発明の目的は、漏れ防止性に優れ、しかも操作性が良好な吸収性物品を提供することにある。
【０００５】
【課題を解決するための手段】
本発明は、縦長状の吸収性本体、及び該吸収性本体の長手方向左右両側に設けられた左右一対のウイング部を具備する吸収性物品において、上記ウイング部は、少なくとも２枚のシート材を積層して形成されており、上記の２枚のシート材は、上記吸収性本体の両側縁に沿って上記ウイング部に形成された所定幅の非塗布部を残して、接着剤を介して接着されており、上記の２枚のシート材は、防漏シート及び該防漏シート上に配された吸収性シートであり、更に、該吸収性シートの表面側を覆って液透過性シートが配されており、上記非塗布部を可撓軸として上記ウイング部を上記吸収性物品の肌当接面側又は非肌当接面側に折り曲げた状態で包装体とされている吸収性物品を提供することにより上記目的を達成したものである。
【０００６】
【発明の実施の形態】
以下、本発明の好ましい１実施形態について説明する。
【０００７】
本実施形態の吸収性物品としての生理用ナプキン１は、図１〜３に示すように、縦長状の吸収性本体２、及び該吸収性本体２の長手方向左右両側に設けられた左右一対のウイング部３を具備する。
【０００８】
而して、ウイング部３は、少なくとも２枚のシート材を積層してなる積層シート３’により形成されており、２枚のシート材は、吸収性本体２の両側縁２ａに沿ってウイング部３に形成された直線状の所定幅の非塗布部３５を残して、接着剤３４を介して接着されている。
【０００９】
更に詳述すると、２枚のシート材は、防漏シート３１及び防漏シート３１上に配された吸収性シート３２であり、本実施形態においては、積層シート３’は、更に、吸収性シート３２の表面側を覆って配された液透過性シート３３を具備する。
【００１０】
ウイング部３は、吸収性本体２の前方側における長手方向左右両側に設けられた左右一対の前方ウイング部３ａ、及び吸収性本体２の後方側における長手方向左右両側に設けられた左右一対の後方ウイング部３ｂとからなる。
【００１１】
本実施形態の生理用ナプキン１は、その厚さ方向においては、本体吸収体２１並びに本体吸収体２１の表面及び側面を覆って配された液透過性の表面シート２２とからなる縦長状の上層部２０と、液不透過性の防漏シート３１、防漏シート３１と略同形状の液透過性シート３３、両シート３１，３３間に介在された吸収性シート３２からなり、前方３０ａ側及び後方３０ｂ側がそれぞれ幅広になされた下層部３０とからなる。
【００１２】
そして、上層部２０は、上層部２０の長手方向側縁から、幅広になされた下層部３０の長手方向側部が延出されるように、下層部３０の液透過性シート３３上に載置されており、延出された下層部３０により前方ウイング部３ａ及び後方ウイング部３ｂが形成されている。
【００１３】
本実施形態において、接着剤３４は、防漏シート３１と吸収性シート３２とを接着させるように、非塗布部３５を除いて吸収シート３２の全面に塗布されており、非塗布部３５は、前方ウイング部３ａ及び後方ウイング部３ｂにおける吸収性本体２側に設けられている。このように、吸収性本体２に隣接した位置に非塗布部を設けることが、操作性の点から好ましく、吸収性本体２の側縁２ａから非塗布部３５までの距離ｔは、０〜４０ｍｍとするのが好ましく、０〜２０ｍｍとするのがより好ましい。即ち、本実施形態のように上層部と下層部とを有する場合は、吸収性本体２の側縁２ａが非塗布部３５の上に位置しても良い。
【００１４】
非塗布部３５の所定幅ｗは、下着に装着する際のウイング部の操作性の点から、２〜２０ｍｍとするのが好ましい。
【００１５】
また、ウイング操作性の点から、接着剤３４の塗布坪量は、３〜４００ｇ／ｍ２  とし、塗布厚さは、３〜４００μｍとするのが好ましい。
【００１６】
非塗布部３５の曲げ剛性と接着剤が塗布された部分の曲げ剛性との比は、非塗布部３５の曲げ剛性に対して、接着剤が塗布された部分の曲げ剛性を１．２倍以上、特に、１．５倍以上とすることが好ましい。１．２倍以上とすることにより、曲げ剛性の差による操作性の差が生じ、非塗布部で折れ曲がりやすくなり、操作性が向上する。
【００１７】
非塗布部３５の曲げ剛性は、０．０００１〜０．００１５ｍＮ・ｍ２  ／ｍとするのが好ましい。
【００１８】
塗布された部分の曲げ剛性は、０．００２〜０．０２ｍＮ・ｍ２  ／ｍとするのが好ましい。
【００１９】
非塗布部３５の回復性は、０．０５〜０．１５ｍＮ・ｍ／ｍとするのが好ましい。
【００２０】
塗布された部分の回復性は、０．１８〜０．５ｍＮ・ｍ／ｍとするのが好ましい。
【００２１】
曲げ剛性及び回復性は、下記のように測定できる。
【００２２】
吸収性物品のウイング部（場合によっては吸収性本体を含む）を非塗布部を横切るように、縦２０ｍｍ×横６０ｍｍで切り出し、非塗布部のサンプルとする。得られたサンプルを曲げ剛性測定装置、商品名「ＫＥＳ」（カトーテック社製）にて、チャック間に非塗布部が位置するように装填し、曲げ剛性と回復性とを測定する。
【００２３】
また、接着剤が塗布された部分は、非塗布部を含まないように縦２０ｍｍ×横６０ｍｍで切り出してサンプルを得る。得られたサンプルを曲げ剛性測定装置、商品名「ＫＥＳ」（カトーテック社製）に装填し、曲げ剛性と回復性とを測定する。
【００２４】
なお、測定は、サンプル全体を等速で、一定曲率の円弧状に曲げ、それに伴う曲げモーメントを検出することにより行う。
【００２５】
測定条件は、曲率Ｋ＝−２．５〜＋２．５（ｃｍ−１）の範囲で、変形速度は、０．５（ｃｍ−１）／ｓｅｃとした。
【００２６】
曲げ剛性は、Ｋ＝０．５とＫ＝１．５との間の傾斜をＫの絶対値の増加過程の特性から求める。また、回復性は、Ｋ＝０．５〜１．５の範囲におけるヒステリシス幅の平均値である。
【００２７】
表面シート２２は、本体吸収体２１の裏面側もその中央部分を除いて略全面を覆っており、表面シート２２は、幅方向の略中央部分において接着剤を介して液透過性シート３３に固定されており、上層部２０の左右両側縁は、下層部３０に固定されない自由縁部２３とされている。また、生理用ナプキン１の長手方向両端部１ａ，１ｂにおいては、上層部２０及び下層部３０共に、吸収体はなく、上層部２０は表面シート２２のみで、下層部３０は防漏シート３１及び液透過性シート３３のみにより構成されて、両者はヒートシールされて一体化されている。
【００２８】
また、前方側に位置し、着用時には着用者の排泄部に当接する部分においては、自由縁部２３の縁端部に弾性部材が配されて（図示せず）、ギャザーを形成しており、本体吸収体２１は、嵩高になされている。さらに上層部２０には、通常の生理用ナプキンと同様方法で溝５が形成されている。
【００２９】
なお、本明細書において、「前方」とは、使用時において着用者の前方側に位置する部分を意味し、具体的には、吸収性物品の長手方向中央部分よりも前側に位置する部分であり、「後方」とは、使用時において着用者の後方側に位置する部分を意味し、具体的には、吸収性物品の長手方向中央部分よりも後側に位置する部分である。
【００３０】
吸収性本体２、前方ウイング部３ａ及び後方ウイング部３ｂの裏面側、即ち防漏シートの下着装着面には、それぞれ、下着装着用の本体粘着部６１、前方ウイング粘着部（図示せず）及び後方ウイング粘着部６２が設けられている。
【００３１】
次に、本実施形態の生理用ナプキンにおける各部材の形成材料について説明する。
【００３２】
表面シート２２及び防漏シート３１としては、通常生理用ナプキンに用いられる液透過性のシート及び液不透過性のシートを特に制限なく用いることができる。
【００３３】
また、液透過性シート３３としては、ポリエチレン等のフィルムを開孔した開孔フィルムやネット及び不織布等のシート材が用いられる。
【００３４】
本体吸収体２１としては、通常、生理用ナプキンに用いられるものを特に制限なく用いることができる。
【００３５】
上記吸収性シート３２としては、乾式パルプシート（商品名「ＪＳ−５０ＨＢ」ハビックス社製等）や、湿式吸収紙にエンボス加工を施したエンボス吸収紙等が挙げられるが、コストの点で、エンボス吸収紙がより好ましい。
【００３６】
エンボス加工を施すことにより、吸収紙に厚みがでて、しかも液が１方向に拡散しない。また、エンボス吸収紙としては、１ｃｍ２  あたりに１〜３０ヶ／ｃｍ２  の密度でドット状にエンボスされた吸収紙が好ましい。
【００３７】
吸収性シート３２の厚さは、ウイング操作性及び好ましい剛性及び吸液性の点から、２．５ｇ／ｍｍ２  荷重下で０．２〜３ｍｍとするのが好ましい。
【００３８】
また、ヨレ防止及び装着感の観点から、座屈強度が２０〜５００ｇが好ましく、５０〜３００ｇがより好ましい。座屈強度を２０ｇ以上とすることにより、ウイング部がヨレにくくなり、５００ｇ以下とすることにより、全体が固くなりすぎることを防止して、装着時に違和感を感じないようにすることができる。
【００３９】
ここで、「座屈強度」は、下記のようにして測定できる。
＜測定方法＞
測定は、２０℃、６５％ＲＨ下において、１日以上放置した吸収体（吸収性シート）を用いて、この温度及び湿度条件下にて行う。
【００４０】
詳細には、吸収体を縦１５０ｍｍ×横３０ｍｍで切り出し、これを試料とする。この試料の長手方向端を重合部の幅が５ｍｍとなるように重ね合わせ、輪状とした後、上下各１ｃｍの部分をステープラーで針の長さ方向が圧縮方向と直角の方向となるように２箇所固定し、リング状のサンプルを得る。得られたリング状のサンプルをテンシロン試験機〔商品名「ＲＴＭ−２５」東洋ボールドウィン（株）製〕の試料台に試料の長手方向を下面にして設置する。設置後、圧縮試験モードにて測定速度１０ｍｍ／ｍｉｎで試料を圧縮し、座屈した時の最大強度を求める。別に作成した５つのサンプルについて同様に測定を行い、平均を求めて、座屈強度とする。
【００４１】
本実施形態の吸収性物品としての生理用ナプキン１は、通常の夜用の生理用ナプキンと同様に、前方ウイング部３ａと後方ウイング部３ｂとをそれぞれナプキンの肌当接面側又は非肌当接面側に折り曲げて、３つ折り等に折り畳んで包装材で包装された包装体として販売される。
【００４２】
そして、本実施形態の生理用ナプキンは、上述の非塗布部３５が可撓軸として作用することから、包装体とする際にウイング部を折り込むことが容易であり、また、使用時における操作性にも優れる。更に、ウイング部３は、非塗布部３５の作用により折り曲げが容易で、しかも折り癖も付き難いので、より安定的に下着に装着されズレ防止性や吸収性能をより向上させることができる。
【００４３】
また、ウイング部に吸収性シート、更には吸収性シートにエンボス吸収紙を使用した場合には、吸収性能が更に向上し、漏れ防止効果が更に向上する。
【００４４】
本実施形態の生理用ナプキンは、先ず、防漏シート上に非塗布部を残して全面に接着剤を塗布して吸収性シートを接着し、更に吸収性シートを覆って液透過性シートを載置し、防漏シートと液透過性シートとをウイング部用吸収体の周縁部においてヒートシールして固定して下層部を形成する。次に、別途本体吸収体を表面シートで覆って形成した上層部を、該下層部上に接着剤を介して固定し、長手方向両端部をヒートシールする等して、得ることができる。
【００４５】
尚、上述の実施形態においては、上層部と下層部とにより構成された生理用ナプキンを例示して説明したが、本体吸収体とウイング部用吸収体とを、吸収性物品の幅方向に並列に並べても良い。
【００４６】
また、上述の実施形態においては、ウイング部が前方及び後方ウイング部の２つからなるものを例示して説明したが、ウイング部は、いずれか一方でもよい。
【００４７】
また、非塗布部の形状は、上述の実施形態に制限されるものではなく、湾曲した形状としたり、非連続に複数設けたり、２列以上に複数列並設してもよい。
【００４８】
また、上述の実施形態においては、生理用ナプキンを例示して説明したが、この他、失禁パッド等に適用可能である。
【００４９】
また、ウイング部において、非塗布部を残して全面に塗布される接着剤は、隙間なく塗布しても、またスパイラル状やライン状に塗布しても良い。
【００５１】
【発明の効果】
本発明の吸収性物品は、漏れ防止性に優れ、しかも操作性が良好なものである。
【図面の簡単な説明】
【図１】図１は、本発明の吸収性物品の１実施形態を示す斜視図である。
【図２】図２は、図１のＸ−Ｘ拡大断面図である。
【図３】図３は、図１のＹ−Ｙ断面を模式的に示す断面図である。
【符号の説明】
１          吸収性物品（生理用ナプキン）
２          吸収性本体
２０        上層部
２１        本体吸収体
２２        表面シート
３          ウイング部
３ａ        前方ウイング部
３ｂ        後方ウイング部
３０        下層部
３１        防漏シート
３２        吸収性シート
３３        液透過性シート
３４        接着剤
３５        非塗布部
５          溝
６１        本体粘着部
６２        後方ウイング粘着部
【図１】
0003591574.tif 000002
【図２】
0003591574.tif 000003
【図３】
0003591574.tif 000004